(57)【要約】【課題】  人形関節部位を堅牢にでき、安定感よく、立設状態を長時間保持することができ、しかも人形を一体的に構成することができる紙製の人形関節の接合構造を提供する。【解決手段】  正ｎ角形（ただし、ｎは６以上の偶数）の外筒ブロックと該外筒ブロックの空洞に摺動自在に嵌る大きさの同一形状の内筒ブロックとから構成されて前記内筒ブロックの一方端を前記外筒ブロックの一方側面側から該一方側面と面対称な他方側面に向かって突き通して前記他方側面側へ突出させて固定してなり、内筒ブロックの正ｎ角形の中心を通る対角線を外筒ブロックの山折線に一致させて突き通した第一構造と内筒ブロックの対角線を外筒ブロックの側壁を長手方向に二分割する中間線に一致させて突き通した第二構造と内筒ブロックの正ｎ角形を左右対称に二分割する中心線を山折線に一致させて突き通した第三構造と内筒ブロックの中心線を外筒ブロックの中間線に一致させて突き通した第四構造とから少なくとも一つ選ばれる人形関節の接合構造。【選択図】図１
2015188742.tif 000002
【特許請求の範囲】
【請求項１】
正ｎ角形（ただし、ｎは６以上の偶数）の外筒ブロックと該外筒ブロックの空洞に摺動自在に嵌る大きさの同一形状の内筒ブロックとから構成されて前記内筒ブロックの一方端を前記外筒ブロックの一方側面側から該一方側面と面対称な他方側面に向かって突き通して前記他方側面側へ突出させて固定してなる人形関節の接合構造であって、
前記接合構造が、前記内筒ブロックの一方端開口に形成される正ｎ角形の外接円の中心を通る対角線を前記外筒ブロックの一方側面に形成される山折線に一致させて当該山折線と対称な前記外筒ブロックの他方側面に形成される山折線に一致するように前記内筒ブロックを前記外筒ブロックに突き通してなる第一構造、
前記内筒ブロックの前記対角線を前記外筒ブロックの一方側面に形成される隣り合う山折線間に存在する一方側壁を長手方向に向かって二分する一方仮想中間線に一致させて当該一方側面と対称な前記外筒ブロックの他方側面に存在する他方側壁を前記一方仮想中間線と対称に走る他方仮想中間線に一致するように前記内筒ブロックを前記外筒ブロックに突き通してなる第二構造、
前記内筒ブロックの一方端開口に形成される正ｎ角形の辺と該正ｎ角形の外接円の中心とを通って当該正ｎ角形を左右対称に二分割する中心線を前記外筒ブロックの一方側面に形成される山折線に一致させて当該山折線と対称な前記外筒ブロックの他方側面に形成される山折線に一致するように前記内筒ブロックを前記外筒ブロックに突き通してなる第三構造、
及び前記内筒ブロックの前記中心線を前記外筒ブロックの前記一方仮想中間線に一致させて当該一方仮想中間線と対称な前記外筒ブロックの前記他方仮想中間線に一致するように前記内筒ブロックを前記外筒ブロックに突き通してなる第四構造から少なくとも一つ選ばれる人形関節の接合構造。
【請求項２】
外筒ブロックが、矩形厚紙により成型されており、該厚紙の一辺から該一辺と相対する他辺に向かって等間隔に走る山折線によって連設される同一形状のｎ面側壁と該ｎ面側壁端に連設される糊代端片とを形成して当該山折線に沿って折り曲げて正ｎ角形の中空筒に作成されている請求項１記載の人形関節の接合構造。
【請求項３】
９０度／（３６０／ｎ）度の値が整数でない正ｎ角形（ただし、ｎは６以上の偶数）の外筒ブロックと該外筒ブロックの空洞に摺動自在に嵌る大きさの同一形状の内筒ブロックとから構成されて前記内筒ブロックの一方端を前記外筒ブロックの一方側面側から該一方側面と面対称な他方側面に向かって突き通して前記他方側面側へ突出させて固定してなる人形関節の接合構造であって、
前記外筒ブロックが矩形厚紙の一辺から該一辺と相対する他辺に向かって等間隔に走る山折線によって連設される同一形状のｎ面側壁と該ｎ面側壁端に連設される糊代端片とを形成して当該山折線に沿って折り曲げて正ｎ角形の中空筒に作成され、
前記接合構造が、前記内筒ブロックの一方端開口に形成される正ｎ角形の外接円の中心を通る対角線を前記外筒ブロックの一方側面に形成される山折線に一致させて当該山折線と対称な前記外筒ブロックの他方側面に形成される山折線に一致するように前記内筒ブロックを前記外筒ブロックに突き通してなる第一構造と前記内筒ブロックの前記対角線を前記外筒ブロックの一方側面に形成される隣り合う山折線間に存在する一方側壁を長手方向に向かって二分する一方仮想中間線に一致させて当該一方側面と対称な前記外筒ブロックの他方側面に存在する他方側壁を前記一方仮想中間線と対称に走る他方仮想中間線に一致するように前記内筒ブロックを前記外筒ブロックに突き通してなる第二構造とから選ばれ、前記第一構造においては、前記矩形厚紙に一つの側壁を挟んで前記内筒ブロックを突き通す二つの接合穴が点対称に開口しており、前記第二構造においては、前記矩形厚紙に一つの山折線を挟んで前記内筒ブロックを突き通す二つの接合穴が点対称に開口している人形関節の接合構造。
【請求項４】
９０度／（３６０／ｎ）度の値が整数である正ｎ角形（ただし、ｎは６以上の偶数）の外筒ブロックと該外筒ブロックの空洞に摺動自在に嵌る大きさの同一形状の内筒ブロックとから構成されて前記内筒ブロックの一方端を前記外筒ブロックの一方側面側から該一方側面と面対称な他方側面に向かって突き通して前記他方側面側へ突出させて固定してなる人形関節の接合構造であって、
前記外筒ブロックが矩形厚紙の一辺から該一辺と相対する他辺に向かって等間隔に走る山折線によって連設される同一形状のｎ面側壁と該ｎ面側壁端に連設される糊代端片とを形成して当該山折線に沿って折り曲げて正ｎ角形の中空筒に作成され、
前記接合構造が、前記内筒ブロックの一方端開口に形成される正ｎ角形の辺と該正ｎ角形の外接円の中心とを通って当該正ｎ角形を左右対称に二分割する中心線を前記外筒ブロックの一方側面に形成される山折線に一致させて当該山折線と対称な前記外筒ブロックの他方側面に形成される山折線に一致するように前記内筒ブロックを前記外筒ブロックに突き通してなる第三構造と前記内筒ブロックの前記中心線を前記外筒ブロックの前記一方仮想中間線に一致させて当該一方仮想中間線と対称な前記外筒ブロックの前記他方仮想中間線に一致するように前記内筒ブロックを前記外筒ブロックに突き通してなる第四構造とから選ばれ、前記第三構造においては、前記矩形厚紙に一つの山折線を挟んで前記内筒ブロックを突き通す二つの接合穴が点対称に開口しており、前記第四構造においては、前記矩形厚紙に一つの側壁を挟んで前記内筒ブロックを突き通す二つの接合穴が点対称に開口している人形関節の接合構造。
【請求項５】
内筒ブロックが外筒ブロックに対して傾斜を設けて突き通されている請求項１乃至請求項４のいずれか一項に記載の人形関節の接合構造。
【発明の詳細な説明】
【技術分野】
【０００１】  本発明は、人、動物、架空の生物、及びこれらに似せた創造物を含む人形における関節の接合構造に関するものである。
【背景技術】
【０００２】  一般には、人形の関節は球状に形成されており、この関節を自在に回動させることにより人形全体の骨格を好みの形態に変形できるようになっている（例えば、特許文献１参照）。【０００３】  また、人の動きに近づけるために関節部位を多数の紙パーツにより構成して関節を可動可能にした紙製人形もある（特許文献２参照）。
【先行技術文献】
【特許文献】
【０００４】
【特許文献１】  特開２００２−２２７８２９号公報
【特許文献２】  特開２００４−７７４号公報
【発明の概要】
【発明が解決しようとする課題】
【０００５】  従来の人形の関節は、可動可能に構成されているので、関節部位を紙により構成して人形関節の接合構造を形成した場合には、人形の関節部位において安定感がなく、立設状態を長時間保持することが困難で、しかも一体感に乏しいという問題点があった。【０００６】  本発明は、正多角形の紙製外筒ブロックと該外筒ブロックに内接する大きさの同じ正多角形の内筒ブロックとを用いて、内筒ブロックを外筒ブロックに突き通して人形の関節部位を形成したので、人形関節部位を堅牢にでき、安定感よく、立設状態を長時間保持することができ、しかも人形を一体的に構成することができる。
【課題を解決するための手段】
【０００７】  前記技術的課題は、次の通りの本発明によって解決できる。【０００８】  即ち、本発明に係る人形関節の接合構造は、正ｎ角形（ただし、ｎは６以上の偶数）の外筒ブロックと該外筒ブロックの空洞に摺動自在に嵌る大きさの同一形状の内筒ブロックとから構成されて前記内筒ブロックの一方端を前記外筒ブロックの一方側面側から該一方側面と面対称な他方側面に向かって突き通して前記他方側面側へ突出させて固定してなる人形関節の接合構造であって、前記接合構造が、前記内筒ブロックの一方端開口に形成される正ｎ角形の外接円の中心を通る対角線を前記外筒ブロックの一方側面に形成される山折線に一致させて当該山折線と対称な前記外筒ブロックの他方側面に形成される山折線に一致するように前記内筒ブロックを前記外筒ブロックに突き通してなる第一構造、前記内筒ブロックの前記対角線を前記外筒ブロックの一方側面に形成される隣り合う山折線間に存在する一方側壁を長手方向に向かって二分する一方仮想中間線に一致させて当該一方側面と対称な前記外筒ブロックの他方側面に存在する他方側壁を前記一方仮想中間線と対称に走る他方仮想中間線に一致するように前記内筒ブロックを前記外筒ブロックに突き通してなる第二構造、前記内筒ブロックの一方端開口に形成される正ｎ角形の辺と該正ｎ角形の外接円の中心とを通って当該正ｎ角形を左右対称に二分割する中心線を前記外筒ブロックの一方側面に形成される山折線に一致させて当該山折線と対称な前記外筒ブロックの他方側面に形成される山折線に一致するように前記内筒ブロックを前記外筒ブロックに突き通してなる第三構造、及び前記内筒ブロックの前記中心線を前記外筒ブロックの前記一方仮想中間線に一致させて当該一方仮想中間線と対称な前記外筒ブロックの前記他方仮想中間線に一致するように前記内筒ブロックを前記外筒ブロックに突き通してなる第四構造から少なくとも一つ選ばれるものである。【０００９】  また、本発明は前記人形関節の接合構造において、外筒ブロックを、矩形厚紙により成型し、該厚紙の一辺から該一辺と相対する他辺に向かって等間隔に走る山折線によって連設される同一形状のｎ面側壁と該ｎ面側壁端に連設される糊代端片とを形成して当該山折線に沿って折り曲げて正ｎ角形の中空筒に作成したものである。【００１０】  また、本発明に係る人形関節の接合構造は、９０度／（３６０／ｎ）度の値が整数でない正ｎ角形（ただし、ｎは６以上の偶数）の外筒ブロックと該外筒ブロックの空洞に摺動自在に嵌る大きさの同一形状の内筒ブロックとから構成されて前記内筒ブロックの一方端を前記外筒ブロックの一方側面側から該一方側面と面対称な他方側面に向かって突き通して前記他方側面側へ突出させて固定してなる人形関節の接合構造であって、前記外筒ブロックが矩形厚紙の一辺から該一辺と相対する他辺に向かって等間隔に走る山折線によって連設される同一形状のｎ面側壁と該ｎ面側壁端に連設される糊代端片とを形成して当該山折線に沿って折り曲げて正ｎ角形の中空筒に作成され、前記接合構造が、前記内筒ブロックの一方端開口に形成される正ｎ角形の外接円の中心を通る対角線を前記外筒ブロックの一方側面に形成される山折線に一致させて当該山折線と対称���前記外筒ブロックの他方側面に形成される山折線に一致するように前記内筒ブロックを前記外筒ブロックに突き通してなる第一構造と前記内筒ブロックの前記対角線を前記外筒ブロックの一方側面に形成される隣り合う山折線間に存在する一方側壁を長手方向に向かって二分する一方仮想中間線に一致させて当該一方側面と対称な前記外筒ブロックの他方側面に存在する他方側壁を前記一方仮想中間線と対称に走る他方仮想中間線に一致するように前記内筒ブロックを前記外筒ブロックに突き通してなる第二構造とから選ばれ、前記第一構造においては、前記矩形厚紙に一つの側壁を挟んで前記内筒ブロックを突き通す二つの接合穴が点対称に開口しており、前記第二構造においては、前記矩形厚紙に一つの山折線を挟んで前記内筒ブロックを突き通す二つの接合穴が点対称に開口しているものである。【００１１】  また、本発明に係る人形関節の接合構造は、９０度／（３６０／ｎ）度の値が整数である正ｎ角形（ただし、ｎは６以上の偶数）の外筒ブロックと該外筒ブロックの空洞に摺動自在に嵌る大きさの同一形状の内筒ブロックとから構成されて前記内筒ブロックの一方端を前記外筒ブロックの一方側面側から該一方側面と面対称な他方側面に向かって突き通して前記他方側面側へ突出させて固定してなる人形関節の接合構造であって、前記外筒ブロックが矩形厚紙の一辺から該一辺と相対する他辺に向かって等間隔に走る山折線によって連設される同一形状のｎ面側壁と該ｎ面側壁端に連設される糊代端片とを形成して当該山折線に沿って折り曲げて正ｎ角形の中空筒に作成され、前記接合構造が、前記内筒ブロックの一方端開口に形成される正ｎ角形の辺と該正ｎ角形の外接円の中心とを通って当該正ｎ角形を左右対称に二分割する中心線を前記外筒ブロックの一方側面に形成される山折線に一致させて当該山折線と対称な前記外筒ブロックの他方側面に形成される山折線に一致するように前記内筒ブロックを前記外筒ブロックに突き通してなる第三構造と前記内筒ブロックの前記中心線を前記外筒ブロックの前記一方仮想中間線に一致させて当該一方仮想中間線と対称な前記外筒ブロックの前記他方仮想中間線に一致するように前記内筒ブロックを前記外筒ブロックに突き通してなる第四構造とから選ばれ、前記第三構造においては、前記矩形厚紙に一つの山折線を挟んで前記内筒ブロックを突き通す二つの接合穴が点対称に開口しており、前記第四構造においては、前記矩形厚紙に一つの側壁を挟んで前記内筒ブロックを突き通す二つの接合穴が点対称に開口しているものである。【００１２】  さらに、本発明は、前記いずれかの人形関節の接合構造において、内筒ブロックを外筒ブロックに対して傾斜を設けて突き通したものである。
【発明の効果】
【００１３】  本発明によれば、正ｎ角形（ただし、ｎは６以上の偶数）の外筒ブロックと該外筒ブロックの空洞に摺動自在に嵌る大きさの同一形状の内筒ブロックとから構成されて前記内筒ブロックの一方端を前記外筒ブロックの一方側面側から該一方側面と面対称な他方側面に向かって該外筒ブロックを突き通して前記他方側面側へ突出させて固定してなる人形関節の接合構造としたので、人形関節部位を安定感よく、一体的に構成できるから、複雑なポーズであっても容易に立設することができ、長期間保持することができる。
【図面の簡単な説明】
【００１４】
【図１】  本発明に係る一実施の形態における人形関節の接合構造を説明する斜視図である。
【図２】  図１に示す外筒ブロックの展開図である。
【図３】  図１に示す内筒ブロックの展開図である。
【図４】  図１に示す接合構造の輪郭を現す線を残して透視した平面図であり、上方から下方に向かって図示した線図も下方から上方に向かって図示した線図も同一の図として表われる。
【図５】  本発明に係る一実施の形態における人形関節の接合構造を説明する斜視図である。
【図６】  図５に示す接合構造の輪郭を現す線を残して透視した平面図であり、上方から下方に向かって図示した線図も下方から上方に向かって図示した線図も同一の図として表われる。
【図７】  本発明に係る一実施の形態における人形関節の接合構造を説明する斜視図である。
【図８】  図７に示す接合構造の輪郭を現す線を残して透視した平面図であり、上方から下方に向かって図示した線図も下方から上方に向かって図示した線図も同一の図として表われる。
【図９】  本発明に係る一実施の形態における人形関節の接合構造を説明する斜視図である。
【図１０】  図９に示す接合構造の輪郭を現す線を残して透視した平面図であり、上方から下方に向かって図示した線図も下方から上方に向かって図示した線図も同一の図として表われる。
【図１１】  図５に示す外筒ブロックの展開図である。
【図１２】  図７に示す外筒ブロックの展開図である。
【図１３】  図９に示す外筒ブロックの展開図である。
【図１４】  本発明に係る人形関節の接合構造を採用した人形の斜視図である。
【図１５】  図１４に示す人形関節の接合構造を説明する斜視図である。
【図１６】  図１５に示す外筒ブロックの展開図である。
【図１７】  本発明に係る人形関節の接合構造を採用した人形の斜視図である。
【図１８】  図１７に示す人形関節の接合構造を説明する斜視図である。
【図１９】  図１８に示す外筒ブロックの展開図である。
【発明を実施するための形態】
【００１５】  以下、本発明の実施の形態を図面に基づき説明する。なお、各図において、同一符号は同一又は相当部分を示す。
【００１６】  本発明に係る一実施の形態における人形関節の接合構造１は、図１に示すように、正ｎ角形（ただし、ｎは６以上の偶数）の外筒ブロック（図１においては正六角形）２と外筒ブロック２の空洞３に摺動自在に嵌る大きさの同一形状の内筒ブロック（図１においては正六角形）４とから構成されており、内筒ブロック４の一方端５を外筒ブロック２の一方側面側から該一方側面６と面対称な他方側面７に向かって突き通して前記他方側面側へ突出させて固定してなる構造である。
【００１７】  図２において、８は矩形に裁断した厚紙ａの一辺ｂから該一辺ｂと相対する他辺ｃに向かって等間隔に走る山折線（図２においては六本）９を形成し、山折線９によって連設される同一形状の側壁（図２においては六面）１０を、側壁１０の一方端に連設される、側壁１０をはみ出さない広さの糊代端片１１とを形成してなる外筒ブロック用厚紙（以下、「外筒厚紙」ともいう。）であり、一つの山折線９又は一つの側壁１０を挟んで（図２においては側壁１０を挟んで）内筒ブロック４を突き通す二つの接合穴１２が点対称に開口している。そして、外筒厚紙８を山折線９に沿って折り曲げて糊代端片１１によって筒状に貼着して正ｎ角形の中空外筒ブロック２（図１参照）を成型する。
【００１８】  図３において、１３は矩形に裁断した厚紙ｄの一辺ｅから該一辺ｅと相対する他辺ｆに向かって等間隔に走る山折線（図３においては六本）９を形成し、山折線９によって連設される同一形状の側壁（図３においては六面）１０と、側壁１０の一方端に連設される、側壁１０をはみ出さない広さの糊代端片１１とを形成してなる内筒ブロック用厚紙（以下、「内筒厚紙」ともいう。）であり、内筒厚紙１３を山折線８に沿って折り曲げて糊代端片１１によって筒状に貼着して外筒ブロック２の空洞に摺動自在に嵌る大きさの正ｎ角形の中空内筒ブロック４（図１参照）を成型する。
【００１９】  前記内筒ブロック４の外形の大きさは、前記外筒ブロック２の外形の大きさから少なくとも外筒厚紙８の紙厚分小さくした大きさであり、外筒ブロック２の内形を超えない大きさの外形であるから、内筒ブロック４は外筒ブロック２の中空内に内包され、より好ましくは摺動自在に嵌る大きさである。
【００２０】  そして、本実施の形態における前記接合構造１は、図１及び図４に示すように、内筒ブロック４の一方端５の開口に形成される正ｎ角形（図１及び図４においては正六角形）の外接円１４（点線にて示す。）の中心１５を通る対角線１６（一点鎖線にて示す。）を外筒ブロック２の一方側面６に形成される山折線９に一致させて当該山折線９と対称な外筒ブロック２の他方側面７に形成される山折線９に一致するように内筒ブロック４を外筒ブロック２に突き通してなる第一構造１と、図５及び図６に示すように、内筒ブロック４の前記対角線１６を外筒ブロック２の一方側面６に形成される隣り合う山折線９，９間に存在する一方側壁１０を長手方向に向かって二等分する一方仮想中間線１７（一点鎖線にて示す。）に一致させて当該一方仮想中間線１７と対称な前記外筒ブロック２の他方側面７に存在する他方側壁１０を前記一方仮想習慣線１７と対称に走る他方仮想中間線１７に一致するように内筒ブロック４を外筒ブロック２に突き通してなる第二構造１８と、図７及び図８に示すように、内筒ブロック４の一方端５の開口に形成される正ｎ角形（図７及び図８においては正八角形）の相対する一辺１９と該正ｎ角形の外接円１４（点線にて示す。）の中心１５を通って当該正ｎ角形を左右対称に二分割する中心線２０（一点鎖線にて示す。）を外筒ブロック２の一方側面６に形成される山折線９に一致させて当該山折線９と対称な外筒ブロック２の他方側面７に形成される山折線９に一致するように内筒ブロック４を外筒ブロック２に突き通してなる第三構造２１と、図９及ぶ図１０に示すように、内筒ブロック４の中心線２０を外筒ブロック２の一方仮想中間線１７に一致させて一方仮想中間線１７と対称な外筒ブロック２の他方仮想中間線１７に一致するように内筒ブロック４を外筒ブロック２に突き通してなる第四構造２２とのいずれかの形態をとる。
【００２１】  より詳しくは、９０度／（３６０／ｎ）度の値が整数でない正ｎ角形（図２及び図１１においては正六角形）からなる外筒ブロック２と内筒ブロック４とからなる人形関節の接合構造においては、前記第一構造１（図１参照）と前記第二構造１８（図５参照）とのいずれかの接合構造を採用し、第一構造１の外筒ブロック２を成型する外筒厚紙８においては、図２に示すように、一つの側壁１０１を挟んで前記内筒ブロック４を突き通す二つの接合穴１２、１２が点対称に開口しており、当該側壁１０１に隣接する両接合穴１２、１２の一辺２３、２３は当該側壁１０１の両辺である山折線９１、９１に対して平行で当該山折線９１、９１側に位置付けられた当該正ｎ角形の頂点２４は山折線９１、９１に対して楔状に対面して向いていないから、当該両接合穴１２、１２の存在によって起こる脆弱性の発生を防ぐことができる。
【００２２】  前記第二構造１８の外筒ブロック２を成型する外筒厚紙８においては、図１１に示すように、一つの山折線９１を挟んで前記内筒ブロック４を突き通す二つの接合穴１２，１２が点対称に開口しており、当該山折線９１に隣接する両接合穴１２、１２の一辺２３、２３は当該山折線９１に対して平行で当該山折線９１側に位置付けられた当該正ｎ角形の頂点２４は山折線９１に対して楔状に対面して向いていないから、当該両接合穴１２、１２の存在によって起こる脆弱性の発生を防ぐことができる。
【００２３】  また、９０度／（３６０／ｎ）度の値が整数である正ｎ角形（図１２及び図１３においては正八角形）からなる外筒ブロック２と内筒ブロック４とからなる人形関節の接合構造においては、前記第三構造２１（図７参照）と前記第四構造２２（図９参照）とのいずれかの接合構造を採用し、第三構造２１の外筒ブロック２を成型する外筒厚紙８においては、図１２に示すように、一つの山折線９１を挟んで前記内筒ブロック４を突き通す二つの接合穴１２，１２が点対称に開口しており、当該山折線９１に隣接する両接合穴１２、１２の一辺２３、２３は当該山折線９１に対して平行で当該山折線９１側に位置付けられた当該正ｎ角形の頂点２４は山折線１９に対して楔状に対面して向いていないから、当該両接合穴１２、１２の存在によって起こる脆弱性の発生を防ぐことができる。
【００２４】  前記第四構造２２の外筒ブロック２を成型する外筒厚紙８においては、図１３に示すように、一つの側壁１０１を挟んで前記内筒ブロック４を突き通す二つの接合穴１２、１２が点対称に開口しており、当該側壁１０１に隣接する両接合穴１２、１２の一辺２３、２３は当該側壁１０１の両辺である山折線９１、９１に対して平行で当該山折線９１、９１側に位置付けられた当該正ｎ角形の頂点２４は山折線９１、９１に対して楔状に対面して向いていないから、当該両接合穴１２、１２の存在によって起こる脆弱性の発生を防ぐことができる。
【００２５】  図１、図５、図７及び図９に示す人形関節は外筒ブロック２に対して内筒ブロック４を９０度の角度で突き通したものである。
【００２６】  前記外筒ブロック２に形成される接合穴１２の各辺２３の長さは、正ｎ角形の外接円１４の半径と中心角とが既知であるから、三角関数を用いて算出することができる。また、３ＤＣＡＤにより作成して図面に起こして得ることもできる。
【００２７】  実施例１．
【００２８】  図１４に示す人形２５は犬に似せて組み立てた造形物であり、正六角形の外筒ブロック２と内筒ブロック４とを用いて図１に示す第一構造１の接合構造により前足の関節部位を形成し、図１５に示すように、当該第一構造１における内筒ブロック４を外筒ブロック２に対して６０度傾斜させた状態で突き通した構造の接合構造１ａにより後足の関節部位を形成して完成させたものである。
【００２９】  前記人形２５における外筒ブロック２の外筒ブロック用厚紙８は、図１６に示すように、山折線９１、９１間の側壁１０１を挟んで前記内筒ブロック４を突き通す二つの接合穴１２、１２が点対称に開口している。
【００３０】  実施例２．
【００３１】  図１７に示す人形２６は猛獣に似せて組み立てたキャラクタ創造物であり、正八角形の外筒ブロック２と内筒ブロック４とを用いて図９に示す第一構造２２の接合構造により腰の関節部位を形成し、図１８に示すように、当該第四構造２２における内筒ブロック４を外筒ブロック２に対して６０度傾斜させた状態で突き通した構造の接合構造２２ａにより後足の関節部位と首関節部位を形成して完成させたものである。
【００３２】  前記人形２６における外筒ブロック２の外筒ブロック用厚紙８は、図１９に示すように、山折線９１、９１間の側壁１０１を挟んで前記内筒ブロック４を突き通す二つの接合穴１２、１２が点対称に開口している。
【産業上の利用可能性】
【００３３】  本発明によれば、複雑なポーズであっても容易に立設することができ、長期間保持することができるから、ディスプレイ等に利用できる。
【符号の説明】
【００３４】  １、１ａ  接合構造（第一構造）
２  外筒ブロック
３  空洞
４  内筒ブロック
８  外筒ブロック用厚紙
９（９１）  山折線
１０（１０１）  側壁
１２  接合穴
１３  内筒ブロック用厚紙
１４  外接円
１６  対角線
１７  中間線（一方仮想中間線、他方仮想中間線）
１８  第二構造（接合構造）
２０  中心線
２１  第三構造（接合構造）
２２、２２ａ  第四構造（接合構造）
２５、２６  人形
【図１】
2015188742.tif 000003
【図２】
2015188742.tif 000004
【図３】
2015188742.tif 000005
【図４】
2015188742.tif 000006
【図５】
2015188742.tif 000007
【図６】
2015188742.tif 000008
【図７】
2015188742.tif 000009
【図８】
2015188742.tif 000010
【図９】
2015188742.tif 000011
【図１０】
2015188742.tif 000012
【図１１】
2015188742.tif 000013
【図１２】
2015188742.tif 000014
【図１３】
2015188742.tif 000015
【図１４】
2015188742.tif 000016
【図１５】
2015188742.tif 000017
【図１６】
2015188742.tif 000018
【図１７】
2015188742.tif 000019
【図１８】
2015188742.tif 000020
【図１９】
2015188742.tif 000021